【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
アドホックネットワーク内でルートデバイスによって実行されるワイヤレス通信のための方法であって、
メッセージを生成することと、前記メッセージは、予想される同期メッセージを生成するための第２のデバイスを識別する、
同期メッセージを送信することと、
前記生成されたメッセージを送信することと、
を備え、
ここにおいて、前記生成されたメッセージが前記同期メッセージ中に含まれ、
ここにおいて、前記送信されたメッセージが、前記アドホックネットワーク用のバックアップルートデバイスとして前記第２のデバイスを識別する、方法。
【請求項２】
複数のデバイスが、可用性窓の間、前記アドホックネットワークを介して通信し、前記同期メッセージが可用性窓スケジュールを更新する、請求項１に記載の方法。
【請求項３】
前記同期メッセージがクロック基準情報を含む、請求項１に記載の方法。
【請求項４】
前記デバイスが前記アドホックネットワークを去っていると決定することをさらに備え、ここにおいて、前記生成されたメッセージが、前記決定に応じて送信される、請求項１に記載の方法。
【請求項５】
アドホックネットワーク内でのワイヤレス通信のためのルートデバイスであって、
メッセージを生成するための手段と、前記メッセージは、予想される同期メッセージを生成するための第２のデバイスを識別する、
同期メッセージを送信するための手段と、
前記生成されたメッセージを送信するための手段と、
を備え、
ここにおいて、前記生成されたメッセージが前記同期メッセージ中に含まれ、
ここにおいて、前記送信されたメッセージが、前記アドホックネットワーク用のバックアップルートデバイスとして前記第２のデバイスを識別する、ルートデバイス。
【請求項６】
複数のデバイスが、可用性窓の間、前記アドホックネットワークを介して通信し、前記同期メッセージが可用性窓スケジュールを更新する、請求項５に記載のルートデバイス。
【請求項７】
前記同期メッセージがクロック基準情報を含む、請求項６に記載のルートデバイス。
【請求項８】
前記デバイスが前記アドホックネットワークを去っていると決定するための手段をさらに備え、ここにおいて、前記生成されたメッセージが、前記決定に応じて送信される、請求項５に記載のルートデバイス。
【請求項９】
アドホックワイヤレスネットワークを介してデバイスと通信するための方法であって、
ルートデバイスからメッセージを受信することと、前記メッセージは、受信デバイスが予想される同期メッセージを生成することになることを示す、
前記ルートデバイスが利用可能であるかどうかを決定することと、
前記決定に基づいて、同期メッセージを送信することと
を備え、
ここにおいて、前記受信されたメッセージは同期メッセージであり、
ここにおいて、前記受信デバイスは、前記受信されたメッセージが前記受信デバイスをバックアップルートデバイスとして識別すると決定する、方法。
【請求項１０】
ルートノードが利用可能であるかどうかを決定することが、同期メッセージが所定の時間期間内に受信されているかどうかを決定することを備える、請求項９に記載の方法。
【請求項１１】
ルートノードが利用可能であるかどうかを決定することが、前記メッセージを受信することに基づいて、前記ルートノードが利用可能でなくなると決定することを備える、請求項９に記載の方法。
【請求項１２】
アドホックワイヤレスネットワークを介して通信するための非ルートデバイスであって、
ルートデバイスからメッセージを受信するための手段と、前記メッセージは、前記非ルートデバイスが予想される同期メッセージを生成することになることを示す、
前記ルートデバイスが利用可能であるかどうかを決定するための手段と、
前記決定に基づいて、同期メッセージを送信するための手段と、
を備え、
ここにおいて、前記受信されたメッセージは同期メッセージであり、
ここにおいて、受信デバイスは、前記受信されたメッセージが前記受信デバイスをバックアップルートデバイスとして識別すると決定する、非ルートデバイス。
【請求項１３】
決定するための前記手段が、同期メッセージが所定の時間期間内に受信されているかどうかを決定するように構成される、請求項１２に記載の非ルートデバイス。
【請求項１４】
決定するための前記手段が、少なくとも一部、前記メッセージを受信することに基づいて、ルートノードが利用可能でなくなると決定することによって、前記ルートノードが利用可能であるかどうかを決定するように構成される、請求項１２に記載の非ルートデバイス。
【請求項１５】
請求項１乃至４または請求項９乃至１１のいずれかの方法を実行するための命令を備える、コンピュータプログラム。
【手続補正２】
【補正対象書類名】明細書
【補正対象項目名】０１１７
【補正方法】変更
【補正の内容】
【０１１７】
[0134]  同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされ得ることを理解されたい。さらに、他の実装形態が以下の特許請求の範囲内に入る。場合によっては、特許請求の範囲に記載の行為は、異なる順序で実行され、依然として望ましい結果を達成することができる。
以下に、本願出願の当初の特許請求の範囲に記載された発明を付記する。
［Ｃ１］
アドホックネットワーク内でルートデバイスによって実行されるワイヤレス通信のための方法であって、
メッセージを生成することと、前記メッセージは、予想される同期メッセージを生成するための第２のデバイスを識別する、
同期メッセージを送信することと
を備える方法。
［Ｃ２］
前記生成されたメッセージを送信することをさらに備える、Ｃ１に記載の方法。
［Ｃ３］
前記生成されたメッセージが前記同期メッセージ中に含まれる、Ｃ２に記載の方法。
［Ｃ４］
複数のデバイスが、可用性窓の間、前記アドホックネットワークを介して通信し、前記同期メッセージが可用性窓スケジュールを更新する、Ｃ１に記載の方法。
［Ｃ５］
前記同期メッセージがクロック基準情報を含む、Ｃ１に記載の方法。
［Ｃ６］
前記同期メッセージが、前記複数のデバイスの一部によって再送信される、Ｃ１に記載の方法。
［Ｃ７］
前記デバイスが前記アドホックネットワークを去っていると決定することをさらに備え、ここにおいて、前記生成されたメッセージが、前記決定に応じて送信される、Ｃ２に記載の方法。
［Ｃ８］
前記送信されたメッセージが、前記アドホックネットワーク用のバックアップルートデバイスとして前記第２のデバイスを識別する、Ｃ２に記載の方法。
［Ｃ９］
非ルートデバイスによって前記デバイスを識別する同期メッセージを受信することをさらに備える、Ｃ１に記載の方法。
［Ｃ１０］
受信された信号強度表示に基づいて、前記第２のデバイスを決定することをさらに備える、Ｃ１に記載の方法。
［Ｃ１１］
前記第２のデバイスと前記デバイスとの間の経路損失に基づいて、前記第２のデバイスを決定することをさらに備える、Ｃ１に記載の方法。
［Ｃ１２］
前記非ルートデバイスによって前記受信されたメッセージを再送信することをさらに備える、Ｃ９に記載の方法。
［Ｃ１３］
前第２のデバイスを周期的に決定することをさらに備える、Ｃ１に記載の方法。
［Ｃ１４］
アドホックネットワーク内でのワイヤレス通信のためのルートデバイスであって、
メッセージを生成するように構成されたプロセッサと、前記メッセージは、予想される同期メッセージを生成するための第２のデバイスを識別する、
同期メッセージを送信するように構成された送信機と
を備えるルートデバイス。
［Ｃ１５］
前記生成されたメッセージを送信することをさらに備える、Ｃ１４に記載のデバイス。
［Ｃ１６］
前記生成されたメッセージが前記同期メッセージ中に含まれる、Ｃ１５に記載のデバイス。
［Ｃ１７］
複数のデバイスが、可用性窓の間、前記アドホックネットワークを介して通信し、前記同期メッセージが可用性窓スケジュールを更新する、Ｃ１４に記載のルートデバイス。
［Ｃ１８］
前記同期メッセージがクロック基準情報を備える、Ｃ１７に記載のルートデバイス。
［Ｃ１９］
前記同期メッセージが、前記複数のデバイスの一部によって再送信される、Ｃ１７に記載のルートデバイス。
［Ｃ２０］
前記プロセッサが、前記ルートデバイスが前記アドホックネットワークを去っていると決定するようにさらに構成され、ここにおいて、前記生成されたメッセージが、前記決定に応じて送信される、Ｃ１７に記載のルートデバイス。
［Ｃ２１］
前記送信されたメッセージが、前記アドホックネットワーク用のバックアップルートデバイスとして前記第２のデバイスを識別する、Ｃ１５に記載のルートデバイス。
［Ｃ２２］
前記デバイスを識別する同期メッセージを受信するように構成された受信機をさらに備える、Ｃ１４に記載のルートデバイス。
［Ｃ２３］
前記プロセッサが、受信された信号強度表示に基づいて、前記第２のデバイスを決定するようにさらに構成される、Ｃ１４に記載のルートデバイス。
［Ｃ２４］
前記プロセッサが、前記第２のデバイスと前記デバイスとの間の経路損失に基づいて、前記第２のデバイスを決定するようにさらに構成される、Ｃ１４に記載のルートデバイス。
［Ｃ２５］
前記送信機が、前記受信されたメッセージを再送信するようにさらに構成される、Ｃ２２に記載のルートデバイス。
［Ｃ２６］
前記プロセッサが、前記第２のデバイスを周期的に決定するようにさらに構成される、Ｃ１４に記載のルートデバイス。
［Ｃ２７］
アドホックネットワーク内でのワイヤレス通信のためのルートデバイスであって、
メッセージを生成するための手段と、前記メッセージは、予想される同期メッセージを生成するための第２のデバイスを識別する、
同期メッセージを送信するための手段と
を備えるルートデバイス。
［Ｃ２８］
前記生成されたメッセージを送信するための手段をさらに備える、Ｃ２７に記載のルートデバイス。
［Ｃ２９］
前記生成されたメッセージが前記同期メッセージ中に含まれる、Ｃ２８に記載のルートデバイス。
［Ｃ３０］
複数のデバイスが、可用性窓の間、前記アドホックネットワークを介して通信し、前記同期メッセージが可用性窓スケジュールを更新する、Ｃ２７に記載のルートデバイス。
［Ｃ３１］
前記同期メッセージがクロック基準情報を備える、Ｃ３０に記載のルートデバイス。
［Ｃ３２］
前記同期メッセージが、前記複数のデバイスの一部によって再送信される、Ｃ３０に記載のルートデバイス。
［Ｃ３３］
前記デバイスが前記アドホックネットワークを去っていると決定するための手段をさらに備え、前記生成されたメッセージが、前記決定に応じて送信される、Ｃ２８に記載のルートデバイス。
［Ｃ３４］
前記送信されたメッセージが、前記アドホックネットワーク用のバックアップルートデバイスとして前記第２のデバイスを識別する、Ｃ２８に記載のルートデバイス。
［Ｃ３５］
前記デバイスを識別する同期メッセージを受信するための手段をさらに備える、Ｃ２７に記載のルートデバイス。
［Ｃ３６］
受信された信号強度表示に基づいて、前記第２のデバイスを決定するための手段をさらに備える、Ｃ２７に記載のルートデバイス。
［Ｃ３７］
前記第２のデバイスと前記デバイスとの間の経路損失に基づいて、前記第２のデバイスを決定するための手段をさらに備える、Ｃ２７に記載のルートデバイス。
［Ｃ３８］
前記受信されたメッセージを再送信するための手段をさらに備える、Ｃ３５に記載のルートデバイス。
［Ｃ３９］
前記第２のデバイスを周期的に決定するための手段をさらに備える、Ｃ２７に記載のルートデバイス。
［Ｃ４０］
実行されたとき、ルートデバイス内のプロセッサにアドホックネットワーク内でのワイヤレス通信のための方法を実行させる命令を備えた非一時的コンピュータ可読媒体であって、前記方法が、
メッセージを生成することと、前記メッセージは、予想される同期メッセージを生成するための第２のデバイスを識別する、
同期メッセージを送信することと
を備える、非一時的コンピュータ可読媒体。
［Ｃ４１］
前記生成されたメッセージを送信することをさらに備える、Ｃ４０に記載の非一時的コンピュータ可読媒体。
［Ｃ４２］
前記生成されたメッセージが前記同期メッセージ中に含まれる、Ｃ４１に記載の非一時的コンピュータ可読媒体。
［Ｃ４３］
複数のデバイスが、可用性窓の間、前記アドホックネットワークを介して通信し、前記同期メッセージが可用性窓スケジュールを更新する、Ｃ４０に記載の非一時的コンピュータ可読媒体。
［Ｃ４４］
前記同期メッセージがクロック基準情報を含む、Ｃ４３に記載の非一時的コンピュータ可読媒体。
［Ｃ４５］
前記同期メッセージが、前記複数のデバイスの一部によって再送信される、Ｃ４３に記載の非一時的コンピュータ可読媒体。
［Ｃ４６］
前記方法が、前記デバイスが前記アドホックネットワークを去っていると決定することをさらに備え、ここにおいて、前記生成されたメッセージが、前記決定に応じて送信される、Ｃ４０に記載の非一時的コンピュータ可読媒体。
［Ｃ４７］
前記送信されたメッセージが、前記アドホックネットワーク用のバックアップルートデバイスとして前記第２のデバイスを識別する、Ｃ４１に記載の非一時的コンピュータ可読媒体。
［Ｃ４８］
前記方法が、前記デバイスを識別するメッセージを受信することをさらに備える、Ｃ４０に記載の非一時的コンピュータ可読媒体。
［Ｃ４９］
前記方法が、受信された信号強度表示に基づいて、前記第２のデバイスを決定することをさらに備える、Ｃ４０に記載の非一時的コンピュータ可読媒体。
［Ｃ５０］
前記方法が、前記第２のデバイスと前記デバイスとの間の経路損失に基づいて、前記第２のデバイスを決定することをさらに備える、Ｃ４０に記載の非一時的コンピュータ可読媒体。
［Ｃ５１］
前記方法が、前記受信されたメッセージを再送信することをさらに備える、Ｃ４８に記載の非一時的コンピュータ可読媒体。
［Ｃ５２］
前記方法が、前記第２のデバイスを周期的に決定することをさらに備える、Ｃ４０に記載の非一時的コンピュータ可読媒体。
［Ｃ５３］
アドホックワイヤレスネットワークを介してデバイスと通信するための方法であって、
ルートデバイスからメッセージを受信することと、前記メッセージは、受信デバイスが予想される同期メッセージを生成することになることを示す、
前記ルートデバイスが利用可能であるかどうかを決定ことと、
前記決定に基づいて、同期メッセージを送信することと
を備える方法。
［Ｃ５４］
前記受信されたメッセージが同期メッセージである、Ｃ５７に記載の方法。
［Ｃ５５］
前記ルートノードが利用可能であるかどうかを決定することが、同期メッセージが所定の時間期間内に受信されているかどうかを決定することを備える、Ｃ５３に記載の方法。
［Ｃ５６］
前記ルートノードが利用可能であるかどうかを決定することが、前記メッセージを受信することに基づいて、前記ルートノードが利用可能でなくなると決定することを備える、Ｃ５４に記載の方法。
［Ｃ５７］
アドホックワイヤレスネットワークを介して通信するための非ルートデバイスであって、
ルートデバイスからメッセージを受信するように構成された受信機と、前記メッセージは、前記非ルートデバイスが予想される同期メッセージを生成することになることを示す、
前記ルートデバイスが利用可能であるかどうかを決定するように構成されたプロセッサと、
前記決定に基づいて、同期メッセージを送信するように構成された送信機と
を備える非ルートデバイス。
［Ｃ５８］
前記受信されたメッセージが同期メッセージである、Ｃ５７に記載の非ルートデバイス。
［Ｃ５９］
前記プロセッサが、少なくとも一部、所定の時間期間内に同期メッセージが受信されているかどうかを決定することによって、前記ルートノードが利用可能であるかどうかを決定するように構成される、Ｃ５７に記載の非ルートデバイス。
［Ｃ６０］
前記プロセッサが、少なくとも一部、前記メッセージを受信することに基づいて前記ルートノードが利用可能でなくなると決定することによって、前記ルートノードが利用可能であるかどうかを決定するように構成される、Ｃ５７に記載の非ルートデバイス。
［Ｃ６１］
アドホックワイヤレスネットワークを介して通信するための非ルートデバイスであって、
ルートデバイスからメッセージを受信するための手段と、前記メッセージは、前記非ルートデバイスが予想される同期メッセージを生成することになることを示す、
前記ルートデバイスが利用可能であるかどうかを決定するための手段と、
前記決定に基づいて、同期メッセージを送信するための手段と
を備える、非ルートデバイス。
［Ｃ６２］
前記受信されたメッセージが同期メッセージである、Ｃ６１に記載の非ルートデバイス。
［Ｃ６３］
決定するための前記手段が、同期メッセージが所定の時間期間内に受信されているかどうかを決定するように構成される、Ｃ６１に記載の非ルートデバイス。
［Ｃ６４］
決定するための前記手段が、少なくとも一部、前記メッセージを受信することに基づいて、前記ルートノードが利用可能でなくなると決定することによって、前記ルートノードが利用可能であるかどうかを決定するように構成される、Ｃ６１に記載の非ルートデバイス。
［Ｃ６５］
実行されたとき、プロセッサにアドホックワイヤレスネットワークを介して、デバイスと通信する方法を実行させる命令を備える非一時的コンピュータ可読媒体であって、前記方法が、
ルートデバイスからメッセージを受信することと、前記メッセージは、受信デバイスが予想される同期メッセージを生成することになることを示す、
前記ルートデバイスが利用可能であるかどうかを決定ことと、
前記決定に基づいて、同期メッセージを送信することと
を備える、非一時的コンピュータ可読媒体。
［Ｃ６６］
前記受信されたメッセージが同期メッセージである、Ｃ６５に記載の非一時的コンピュータ可読媒体。
［Ｃ６７］
前記ルートノードが利用可能であるかどうかを決定することが、所定の時間期間内に同期メッセージが受信されているかどうかを決定することを備える、Ｃ６５に記載の非一時的コンピュータ可読媒体。
［Ｃ６８］
前記ルートノードが利用可能であるかどうかを決定することが、前記メッセージを受信することに基づいて、前記ルートノードが利用可能でなくなると決定することを備える、Ｃ６５に記載の非一時的コンピュータ可読媒体。